(57)【要約】【課題】受信放送が適切に記録出来ない場合に適切に対処する機能を備えた放送受信機を提供する。【解決手段】本発明の放送受信装置は、放送の受信状態を監視する受信状態判定手段と、受信された放送内容を記録する記録手段と、受信状態判定手段で放送の受信状態が悪いと判断した場合、記録手段における記録動作を停止する停止手段と、を備える。さらに、記録手段が記録動作を停止した状態において、受信状態判定手段で放送の受信状態が改善したと判断した場合、記録手段の記録動作を再び起動する起動手段を備えるようにしてもよい。【選択図】図１
2007295455.tif 000002
【特許請求の範囲】
【請求項１】
放送の受信状態を監視する受信状態判定手段と、
受信された放送内容を記録する記録手段と、
前記受信状態判定手段で放送の受信状態が悪いと判断した場合、前記記録手段における記録動作を停止する停止手段と、
を備える放送受信装置。
【請求項２】
前記記録手段が記録動作を停止した状態において、前記受信状態判定手段で放送の受信状態が改善したと判断した場合、前記記録手段の記録動作を再び起動する起動手段を備える、
請求項１に記載の放送受信装置。
【請求項３】
前記記録手段の記録停止又は記録再開の条件をユーザーによって設定できる操作手段を備える、
請求項１又は２に記載の放送受信装置。
【請求項４】
電源状態を監視する状態判定手段と、
受信された放送内容を記録する記録手段と、
前記状態判定手段で電源状態が悪化したと判定した場合、前記記録手段における記録動作を停止する停止手段と、
を備える放送受信装置。
【請求項５】
前記記録手段の記録動作が停止中であることを示す表示を行う表示手段を備える、
請求項１〜４のいずれかに記載の放送受信装置。
【発明の詳細な説明】
【技術分野】
【０００１】
本発明は、放送受信装置に関するものである。特に移動体用のデジタル放送受信装置に好適である。
【背景技術】
【０００２】
テレビ放送を移動中に視聴可能な携帯端末により、ユーザーは移動しながらでも放送を楽しむことや新たな情報を入手することが可能となっている。
【０００３】
地上波デジタル放送が３大都市圏を皮切りに開始されている。地上波デジタル放送には、１セグ放送と呼ばれる携帯機器向けの放送が予定さており、ユーザーは放送を楽しむ機会をより多く持つことができる。
【特許文献１】特開２００４−１４０４６０号公報
【発明の開示】
【発明が解決しようとする課題】
【０００４】
固定放送受信装置と同様に、携帯用放送受信装置で録画機能が付加されることは想像に難くない。
【０００５】
しかし、移動体受信機である為、受信状態が悪化することは十分考えられる。例えば、ビル影やトンネルの中では受信が不可能となる可能性が高い。
【０００６】
このような悪化した受信状態で録画を継続しても有効な情報が記録されない。その上、限られた記憶容量の浪費することになる。携帯機器は、電池容量に限りがあるため、消費電力の観点から見ても無駄な機能を動作させているのは望まれない。
【０００７】
本発明は上記課題に鑑みてなされたものであり、その目的は、受信放送が適切に記録出来ない場合に適切に対処する機能を備えた放送受信機を提供することにある。
【課題を解決するための手段】
【０００８】
上記の目的を達成するため、本発明の放送受信装置は、放送の受信状態を監視する受信状態判定手段と、受信された放送内容を記録する記録手段と、受信状態判定手段で放送の受信状態が悪いと判断した場合、記録手段における記録動作を停止する停止手段と、を備える。
【０００９】
さらに、記録手段が記録動作を停止した状態において、受信状態判定手段で放送の受信状態が改善したと判断した場合、記録手段の記録動作を再び起動する起動手段を備えるようにしてもよい。
【発明の効果】
【００１０】
本発明の放送受信装置は、受信状態に応じて記録を停止・停止解除する為、ユーザーにとって不要な記録を残さず、使用記録容量の削減、機能の停止による省電力化が可能という利点がある。
【発明を実施するための最良の形態】
【００１１】
以下、本発明の好適な実施の形態（以下、実施形態という）について、図面を用いて説明する。
【００１２】
（実施の形態１）
図１は、本実施形態の放送受信装置の全体構成を示している。本実施形態では、移動体用のデジタル受信機に本発明が適用される。
【００１３】
図１において、放送受信装置１００は、デジタル放送信号を受信するアンテナ１０１と、
アンテナ１０１が受信した放送信号の内の所望の周波数信号を取り出すデータ受信部１０２と、データ受信部１０２からの信号をデジタルデータに復調する誤り訂正機能を持つデータ復調部１０３と、出力用の音信号および映像信号を生成する出力制御部１０４と
音声信号および映像信号をそれぞれ出力するスピーカー１０５およびディスプレイ１０６と受信データを監視し、受信状態を判定する受信状態判定部１０７受信データを記録する記録装置１０８を含む。
【００１４】
記録装置１０８は、電気的、磁気的、または光学的手法でデータを記録できるものであればよい。ハードディスク、メモリーカードなどが適用できる。記録媒体は記録装置１０８に脱着可能であってもよい。
【００１５】
受信装置１００に送られてくるデジタル放送信号としては、コンテンツ以外にもエラー訂正符号、同期信号などが含まれている。
【００１６】
放送されたコンテンツは、データ復調部１０３で復調され、出力制御部１０４で出力用の信号に変換され、ディスプレイ１０６、スピーカー１０５に出力される。また、復調されたデータは、記録装置１０８に録画される。録画されたコンテンツは後に読み出されて再生される。コンテンツの選択、録画、再生は、ユーザーの要求による。
【００１７】
本実施形態では、コンテンツとともに送られてくるエラー訂正符号を利用して
受信したデータのエラーの割合であるＢＥＲを用いる。
【００１８】
ＢＥＲとは、Ｂｉｔ  ＥＲＲＯＲ  ＲＡＴＥの略でビット誤り率と訳す。
例えば、１０１２ｂｉｔのデータを受信し１ｂｉｔのエラーが発生したときのＢＥＲは１０＾（−１２）となる。
【００１９】
録画を停止する判断情報として、データ復調部１０３のＢＥＲが用いられる。
この情報は、受信状態判定部１０７送られる。ユーザーが移動するにつれて受信状態が変化し、受信不良場所を通り、録画すべき情報が正しく得られないことがある。
この現状は、ＢＥＲの増大として現れる。そこで、ＢＥＲが増大し、ある閾値を超えた場合に録画停止と判断する。
【００２０】
録画停止判定は、ある一定の間隔毎例えば３０秒、１分などで行う。また、停止条件の判定は間隔を変化させても良い。例えば、初期の判定は３０秒間隔で行うが停止条件に合致しない回数が１０回続いた場合は判定の間隔を伸ばし、１分間隔とする。
【００２１】
受信状態判定部１０７は、出力制御部１０４に対して停止状態であることを知らせ、
録画停止についての情報をユーザーに提示させる。
【００２２】
例えば、番組名、チャネル、録画停止スタート時間、停止継続期間、録画停止条件と現在の状態、本実施形態ではＢＥＲなどを記録するとともに、ディスプレイ１０６に表示させる処理を行う。
【００２３】
録画停止は、受信状態判定部１０７からの通知信号により記録制御部が停止することにより、実現される。  録画停止させる方法は、記録制御部１０８で書き込みの停止を行う。また、供給クロック周波数を低下を合わせて行っても良い。
さらに、録画停止は、ＣＬＫ供給の停止、または、電源供給の停止による記録制御部１０８の機能停止でもよい。
【００２４】
この時、出力制御装置１０４は、ディスプレイ１０６、スピーカー１０５を停止させても良い。
【００２５】
録画停止を解除する、すなわち、録画を再開する判断としても、データ復調部の１０３のＢＥＲが用いられる。
【００２６】
受信状態が悪化し録画が停止した状態で、ユーザーが移動するにつれて、受信可能場所を通りＢＥＲがある閾値より低下すると、録画再開と判断する。
また、録画停止を解除する判定はある一定の間隔毎、例えば３０秒間隔、１分間隔などで行う。
【００２７】
さらに、録画停止の判定と同様に、録画停止解除の判定の間隔を変化させても良い。
例えば、停止条件に合致してから暫く後の判定の間隔を、変化させても良い。
初期の判定では、ビル影などで一時的に受信状態の悪化である可能性を考え、５秒間隔で判定を行うが、暫く後の判定は、１分間隔とする。
【００２８】
受信状態判定部１０７は、出力制御部１０４に対して録画実行状態であることを知らせ録画状態についての情報をユーザーに提示させる。
【００２９】
録画停止解除は、受信状態判定部１０７からの通知信号により、記録制御部１０８が再開することにより実現される。録画を再開させる方法として記録制御部１０８が書き込みを再開することにより実現される。また、停止の方法で示した逆のことをすることにより
書き込みが行うことが出来る。
【００３０】
さらに、録画停止の方法として、複数の機能を停止している場合には、各機能の停止解除条件を別途設定してもよい。
【００３１】
例えば記録制御部１０８、出力制御部１０４、スピーカー１０５およびディスプレイ１０６の機能停止している場合、録画停止を解除するＢＥＲではなくても、それに近い時には、出力制御部１０８、スピーカー１０５、ディスプレイ１０６の機能を再開させておけば、録画停止の解除のＢＥＲになったときに、素早く記録を開始させることが出来る。
【００３２】
以上に説明したように、本実施形態によれば、録画最中に受信状態が悪化した場合、
録画機能を停止する。上記の例では、ユーザーに録画停止状態の情報を提供し、
受信状態が改善されれば、録画の再開を行う。
【００３３】
このように、録画を停止することで記録装置１０８の記録容量の有効活用が可能となり、さらに省電力になっている。
【００３４】
なお、この実施例ではＢＥＲにより受信状態の判断を行ったがＣＮ（比搬送波と雑音の比）、同期状態など、受信状態が判別できれば良く、閾値はユーザーが設定可能としてもよい。
【００３５】
また、受信状態の悪化による録画停止について示したが電源検知部１０９により、電池の残り残量、機器が電池で駆動もしくはクレードルなどにより電源切れの心配のない電源供給がされているかを検知し、電源状態判定部１１０により録画機能を停止・再開するかを判断することもありうる。
【産業上の利用可能性】
【００３６】
本発明にかかる放送録画受信装置は、不要な録画をせずに、使用記録容量の削減、省電力化が可能になるので、放送録画受信装置等として有用である。
【図面の簡単な説明】
【００３７】
【図１】本発明の実施形態の放送受信装置の全体構成を示すブロック図
【符号の説明】
【００３８】
１０１    アンテナ
１０２    データ受信部
１０３    データ復調部
１０４    出力制御部
１０５    スピーカー
１０６    ディスプレイ
１０７    受信状態判定部
１０８    記憶装置
１０９    電源検知部
１１０    電源状態判定部
【図１】
2007295455.tif 000003